【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】
単一又は複数の記憶装置と、上位装置と、前記上位装置からの指示に応答して前記記憶装置に格納されたデータの転送を制御する記憶制御装置とを備え、且つ前記記憶制御装置が、前記上位装置と前記記憶制御装置とを論理的に結合する経路における、前記上位装置との接続に用いられるインターフェースに接続しているデータ格納システムの取り扱い方法であって、
前記記憶制御装置が既に介在する前記データ格納システムのオンライン中に新たな記憶制御装置を前記データ格納システムに追加するステップと、
前記新たな記憶制御装置の電源を投入するステップと、
前記上位装置で動作するツール又は前記記憶制御装置により前記新たな記憶制御装置を識別し、前記既に介在する記憶制御装置と前記新たに追加された記憶制御装置とによって処理機能を共有するステップと、
を備える、データ格納システムの取り扱い方法。
【請求項２】
請求項１に記載のデータ格納システムの取り扱い方法であって、前記新たな記憶制御装置の電源投入に替えて前記経路の初期化を実行するステップを更に備える、データ格納システムの取り扱い方法。
【請求項３】
単一又は複数の記憶装置と、上位装置と、前記上位装置からの指示に応答して前記記憶装置に格納されたデータの転送を制御する記憶制御装置とを備え、且つ前記記憶制御装置が、前記上位装置と前記記憶制御装置との間に既に論理的に介在して、前記上位装置と前記記憶制御装置とを論理的に結合する経路における、前記上位装置との接続に用いられるインターフェースに接続しているデータ格納システムの取り扱い方法であって、
オンライン中の前記データ格納システムに新たな記憶制御装置を追加するステップと、
前記経路の初期化を実行するステップと、
前記上位装置が既に介在する記憶制御装置を一意に識別するための情報を前記新たな記憶制御装置が取得し、前記既に介在する記憶制御装置と前記新たに追加された記憶制御装置とによって処理機能を共有するステップと、
を備える、データ格納システムの取り扱い方法。
【請求項４】
請求項１乃至請求項３のうち何れか１項に記載のデータ格納システムの取り扱い方法であって、前記記憶制御装置は前記記憶装置の論理ユニットの制御情報を格納する機能を有しており、前記論理ユニットの制御情報の格納を開始するステップを更に備える、データ格納システムの取り扱い方法。
【請求項５】
請求項１乃至請求項４のうち何れか１項に記載のデータ格納システムの取り扱い方法であって、前記記憶装置は、磁気ディスク装置、光ディスク装置、光磁気ディスク装置、磁気テープ装置、又はライブラリ装置である、データ格納システムの取り扱い方法。
【請求項６】
上位装置と、単一又は複数の記憶装置を含む記憶手段と、第二の記憶制御装置とを備えるデータ格納システムのオンライン中に前記上位装置と前記記憶手段との間に論理的に介在可能な記憶制御装置であって、
上位装置と論理的に接続される経路における、上位装置との接続に用いられるインターフェースに接続可能な接続手段と、
前記上位装置と前記記憶手段との間に既に介在している前記第二の記憶制御装置に格納されている、前記記憶装置の論理ユニットの制御情報を格納する内部メモリと、
前記上位装置からの指示に応答して前記記憶装置に格納されたデータの転送を制御する手段と、を備え、
前記記憶制御装置は、前記上位装置で動作するツール又は前記第二の記憶制御装置により識別され、前記第二の記憶制御装置と共に処理機能を共有する、記憶制御装置。
【請求項７】
請求項６に記載の記憶制御装置であって、前記記憶制御装置は、前記記憶装置と前記第二の記憶制御装置との間を論理的に接続する経路における、前記単一又は複数の記憶装置との接続に用いられるインターフェースに接続されている、記憶制御装置。
【請求項８】
請求項６又は請求項７に記載の記憶制御装置であって、前記経路は、ＡＮＳＩＸ３Ｔ１１で標準化されたファイバチャネルである、記憶制御装置。
【請求項９】
請求項６乃至請求項８のうち何れか１項に記載の記憶制御装置であって、前記内部メモリは、前記内部メモリが再設定されるまで、前記単一又は複数の記憶装置の論理ユニットの制御に用いられる前記制御情報を保持する、記憶制御装置。
【請求項１０】
請求項６乃至請求項９に記載の記憶制御装置であって、前記記憶装置は、磁気ディスク装置、光ディスク装置、光磁気ディスク装置、磁気テープ装置、又はライブラリ装置である、記憶制御装置。
【請求項１１】
少なくとも一つの記憶装置と、上位装置と、第二のディスク制御装置とを含むディスクドライブ装置のオンライン中にネットワークを介して、前記上位装置と前記ディスクドライブ装置との間に論理的に介在可能なディスク制御装置であって、
前記上位装置と前記ディスクドライブ装置との間に既に論理的に介在している前記第二の記憶制御装置に格納されている、前記少なくとも一つの記憶装置の論理ユニットの制御情報を格納する内部メモリと、
前記上位装置からの指示に応答して前記少なくとも一つの記憶装置に格納されたデータの転送を制御するプロセッサと、
を備える、ディスク制御装置。
【請求項１２】
請求項１１に記載のディスク制御装置であって、前記ディスク制御装置は、前記上位装置で動作するツール又は前記第二のディスク制御装置により識別され、前記第二のディスク制御装置と共に処理機能を共有する、ディスク制御装置。
【請求項１３】
少なくとも一つの記憶装置と、上位装置とを含むディスクドライブ装置にネットワークを介して接続し、前記上位装置と前記ディスクドライブ装置との間に論理的に介在するディスク制御装置であって、
オンライン中に前記上位装置と前記ディスクドライブ装置との間に論理的に介在して、ネットワークに接続可能な第二のディスク制御装置へ送信される、前記少なくとも一つの記憶装置の論理ユニットの制御情報を格納する内部メモリと、
前記上位装置からの指示に応答して前記少なくとも一つの記憶装置に格納されたデータの転送を制御するプロセッサと、
を備える、ディスク制御装置。
【請求項１４】
請求項１３に記載のディスク制御装置であって、前記第二のディスク制御装置は、前記上位装置で動作するツール又は前記ディスク制御装置により識別され、前記ディスク制御装置と共に処理機能を共有する、ディスク制御装置。
【請求項１５】
請求項１１乃至請求項１４のうち何れか１項に記載のディスク制御装置であって、前記ネットワークは、ファイバチャネルネットワークである、ディスク制御装置。
【請求項１６】
請求項１５に記載のディスク制御装置であって、前記ネットワークは、ＡＮＳＩＸ３Ｔ１１で標準化されたファイバチャネルネットワークである、ディスク制御装置。
【請求項１７】
上位装置を含む第一のネットワークと、少なくとも一つの記憶装置を含むディスクドライブ装置を含む第二のネットワークとに接続し、前記上位装置と前記ディスクドライブ装置との間に論理的に介在するディスク制御装置であって、
オンライン中に前記上位装置と前記ディスクドライブ装置との間に論理的に介在して、前記第一のネットワークと前記第二のネットワークに接続可能な第二のディスク制御装置へ送信される、前記少なくとも一つの記憶装置の論理ユニットの制御情報を格納する内部メモリと、
前記上位装置からの指示に応答して前記少なくとも一つの記憶装置に格納されたデータの転送を制御するプロセッサと、
を備える、ディスク制御装置。
【請求項１８】
請求項１７に記載のディスク制御装置であって、前記第一のネットワークは、ファイバチャネルネットワークである、ディスク制御装置。
【請求項１９】
請求項１８に記載のディスク制御装置であって、前記第一のネットワークは、ＡＮＳＩＸ３Ｔ１１で標準化されたファイバチャネルネットワークである、ディスク制御装置。
【請求項２０】
請求項１７に記載のディスク制御装置であって、前記第二のネットワークは、ファイバチャネルネットワークである、ディスク制御装置。
【請求項２１】
請求項２０に記載のディスク制御装置であって、前記第二のネットワークは、ＡＮＳＩＸ３Ｔ１１で標準化されたファイバチャネルネットワークである、ディスク制御装置。
【請求項２２】
請求項１１乃至請求項２１のうち何れか１項に記載のディスク制御装置であって、前記ディスク制御装置の操作設定の環境を提供するパネルを更に備える、ディスク制御装置。
【請求項２３】
請求項１１乃至請求項２２のうち何れか１項に記載のディスク制御装置であって、前記記憶装置は、磁気ディスク装置、光ディスク装置、光磁気ディスク装置、磁気テープ装置、又はライブラリ装置である、ディスク制御装置。
【請求項２４】
上位装置と、単一又は複数の論理ユニットを含むディスクドライブ装置と、第二の記憶制御装置とを備えるデータ格納システムのオンライン中に前記上位装置と前記ディスクドライブ装置との間に論理的に介在可能な記憶制御装置であって、
上位装置と論理的に接続されるファイバチャネルネットワークにおける、上位装置との接続に用いられるインターフェースに接続可能な接続手段と、
前記ファイバチャネルネットワークを初期化し、前記記憶制御装置を一意に識別するためのＡＬ＿ＰＡを取得する手段と、
前記上位装置から送信されるＩｎｑｕｉｒｙコマンドに応答して、前記上位装置に前記記憶制御装置のＡＬ＿ＰＡを送信する手段と、
前記上位装置からの指示に応答して、前記上位装置と前記ディスクドライブ装置との間に既に介在している前記第二の記憶制御装置に格納されている、前記論理ユニットの制御情報を取得する手段と、
前記第二の記憶制御装置から取得した前記制御情報を格納する制御メモリと、
前記上位装置からの指示に対して、前記制御メモリに格納された前記制御情報に基づいて、前記少なくとも一つの論理ユニットに格納されたデータの転送を制御する手段と、
を備える、記憶制御装置。